(57)【特許請求の範囲】
【請求項１】
担持帯に取着された複数の密封された包装袋を製造する装置であって、
製品を受け入れる構造をした包装袋の前形成体を成形する袋製造装置と、
前記袋製造装置に近接して配置された密封機構であって、当該密封機構の下方に延在する充填された包装袋の上端封止部と、当該密封機構の上方に延在するこれから充填される包装袋の下端封止部とを形成するために、前形成体を横切る横方向のヒートシールによる封止部を形成する一対の密封あごを具備する密封機構と、
連続した担持帯を前記密封機構に近接する位置に送達する帯駆動装置と、
前記一対の密封あごによる前記充填された包装袋の一端部の密封と同時に、当該充填された包装袋の一端部を、担持帯にヒートシールにより取着する一対の帯密封バーとを備える、装置。
【請求項２】
請求項１に記載の装置であって、
前記一対の帯密封バーは、前記密封機構の一部として設けられている、装置。
【請求項３】
請求項１または２に記載の装置であって、
前記一対の密封あごの一つは、その密封あごを通過して延在する一つのスロットを具備し、
前記担持帯は、前記一つの密封あごの中の前記スロットを通過して、包装袋の一端部に近接した位置に到達する、装置。
【請求項４】
請求項３に記載の装置であって、
前記スロットは、前記帯密封バーのうちの一つと、前記一つの密封あごの切欠き部分との間に画定されている、装置。
【請求項５】
請求項１ないし４のいずれかに記載の装置であって、
第一の帯密封バーが第一の密封あごに取着されており、第二の帯密封バーが第二の密封あごに取着されていて、横方向の包装袋の封止部を形成するためのそれら密封あごの作動が、それら密封バーによって包装袋を担持帯に取着させる、装置。
【請求項６】
請求項１ないし５のいずれかに記載の装置であって、
前記帯密封バーのそれぞれは、少なくとも一つのかみ合い密封要素を具備する、装置。
【請求項７】
請求項１ないし６のいずれかに記載の装置であって、
前記帯駆動装置は一つのステッパー電動機と一つのステッパーホイールを有し、前記ステッパー電動機は、前記密封機構の方向に前記担持帯を前進させるためにステッパーホイールを回転させる、装置。
【請求項８】
担持帯に取着された複数の密封された包装袋を製造する装置であって、
製品を受け入れる構造をした包装袋の前形成体を形成する前形成体形成手段と、
前記前形成体形成手段の下方に配置される密封手段であって、当該密封手段の下方に延在する充填された包装袋の上端封止部と当該密封手段の上方に延在するこれから充填される包装袋の下端封止部とを形成するための、前記前形成体を横断するヒートシールによる横方向の封止部を形成する封止部形成手段を具備する密封手段と、
連続した担持帯を前記封止部形成手段に近接する位置に送達する帯駆動手段と、
前記充填された包装袋の端部の密封と同時に、当該充填された包装袋の端部を前記担持帯にヒートシールにより取着する取着手段と、
前記密封手段の上方と下方の各々に延在する隣接した包装袋の下端部と上端部の封止部を形成するために、前記横方向の封止部に沿って隣接する前形成体を分離する手段と、を備える、装置。
【請求項９】
請求項８に記載の装置であって、
前記封止部形成手段は、隣接する包装袋の上端部と下端部の封止部を形成する一対の密封あごを具備する、装置。
【請求項１０】
請求項９に記載の装置であって、
前記封止部形成手段の前記密封あごの一つは、当該密封あごを通過して包装袋の方向に前記担持帯を送達するための、当該密封あごを通して延在するスロットを具備する、装置。
【請求項１１】
請求項１０に記載の装置であって、
前記取着手段は一対の帯密封バーを具備し、当該一対の帯密封バーの各々は前記封止部形成手段の前記密封あごに設けられ、横方向の包装袋封止部を形成するための前記密封あごの作動が、前記密封バーによって包装袋を前記担持帯に取着させる、装置。
【請求項１２】
請求項１１に記載の装置であって、
前記スロットが、前記帯密封バーと前記一つの密封あごの下部部分の間に配置されている、装置。
【請求項１３】
請求項７ないし１２のいずれかに記載の装置であって、
前記帯駆動装置が、前記担持帯と摩擦力でかみ合い当該担持帯を前記密封手段の方向に前進させるためにステッパーホイールを回転させるステッパー電動機を具備する、装置。
【請求項１４】
連続した担持帯に取着されている充填され密封された包装袋を製造する方法であって、
製品供給源から製品を受容するように構成され、次々につながる一連の包装袋の前形成体を形成する工程と、
密封機構の下方に延在する充填された包装袋の上端封止部と前記密封機構の上方に延在するこれから充填される包装袋の下端封止部を形成するために、前記前形成体を横断するヒートシールによる横方向の封止部を形成する工程と、
充填された包装袋の前記上端封止部の形成と同時に、充填された包装袋の上端封止部を前記担持帯にヒートシールにより取着することによって、前記充填された包装袋を前記担持帯に取着する工程と、
前記密封機構の下方に延在する前記充填された包装袋の上端封止部と、前記密封機構の上方に延在する前記これから充填される包装袋の下端封止部との間を切断する工程と、を備えた、方法。
【請求項１５】
請求項１４に記載の方法であって、
前記密封機構における上方の前記これから充填される包装袋および下方の充填された包装袋の密封が密封あごによって行われ、これと同時に、前記充填された包装袋の一端部が前記担持帯に取着される、方法。
【請求項１６】
請求項１５に記載の方法であって、
前記密封あごの一つは、一つの開口部を具備し、当該開口部内を通過して前記担持帯が前記充填された包装袋の直近に送達される、方法。
【請求項１７】
請求項１５に記載の方法であって、
前記密封あごは各々、前記担持帯を前記充填された包装袋に取着する帯密封バーを具備し、
横方向の包装袋封止部を形成するための前記密封あごの作動が、前記帯密封バーによって前記充填された包装袋を前記担持帯に取着させる、方法。
【請求項１８】
請求項１６に記載の方法であって、
前記担持帯が開口部内を通過して前記充填された包装袋の直近に送達される工程は、帯駆動装置によって行われ、当該帯駆動装置はステッパー電動機とステッパーホイールを具備し、前記ステッパー電動機は、前記担持帯を前記一つの密封あごの中の前記開口部を通過させ前記密封機構方向に前進させるために、前記ステッパーホイールを回転させる、方法。
【請求項１９】
包装袋の一端部の密封とその包装袋の担持帯への取着を同時に行う方法であって、
一対の密封あごに近接する少なくとも一つの端部を有する包装袋を、当該包装袋の前記一つの端部が前記あごの間に配置されるように位置決めする工程と、
前記担持帯を、前記密封あごの一つに形成されたスロットを通過させ前記包装袋の前記端部に近接する位置に送達する工程と、
前記包装袋の前記端部をヒートシールにより密封すると同時に、前記担持帯を前記包装袋の前記端部にヒートシールにより取着する工程と、を備えた、方法。
【請求項２０】
包装袋の前形成体の一端部の密封と同時にその包装袋の前形成体を担持帯に取着するための密封装置であって、
密封あごの間に配置された包装袋の前形成体の一端部をヒートシールにより密封するための一対の密封あごを具備し、当該密封あごのうちの一つは、担持帯を通過させ前記包装袋の前形成体の直近まで送達させるための一つの開口部を有している密封機構と、
前記一対の密封あごによる前記包装袋の前形成体の端部の密封と同時に、前記包装袋の前形成体の端部を前記開口部を通して送られた前記担持帯にヒートシールにより取着させる一対の担持帯密封要素とを備える、密封装置。
【発明の詳細な説明】
【０００１】
【技術分野】
この発明は一般的に、包装袋を担持帯に貼着させるための装置、特に、柔軟な包装袋を取り外し可能に展示用帯に取着し、同時に各々の包装袋の密封端を形成するための方法と装置に関する。
【０００２】
【背景技術】
スナック菓子製品等の様々な製品の柔軟な包装袋を形成し、雑貨店などに展示することが出来る担持帯に包装袋を貼着することが従来の技術において公知である。客は包装袋を傷つけることなく、つまり包装袋の密封状態に悪影響を与えることなく担持帯から１つの包装袋を取り外すことが出来る。これらの展示用帯装置の主要な属性の１つは限られた面積の小売店での使用に適していることである。この展示用帯は、従来の製品展示用棚よりもかなり小さいが、この従来の展示用棚は、面積の制限から特定の小売店には適合できないか、売上高限界から使用することが適当でない場合がある。この展示用帯と貼付した包装袋はほとんど面積が必要なく、カウンターやその他の適当な支持物に設置することが出来る。
【０００３】
パルマー（Ｐａｌｍｅｒ）等の米国特許第４，４２２，５５２号やパルマーの米国特許第４，４７６，６１９号は、袋の端部シールまたはフランジを展示用カードのスロットに架設するための方法と装置を開示している。多数の包装袋の端部シールをスロットを設けた展示用カードに架設して押し込む過程がしばしば手で実施され、かなりの時間と経費を必要とする。しかし、従来技術には、柔軟な包装袋を展示用カードに固着する代替の方法がある。
【０００４】
例えば、ランナー（Ｒｕｎｎｅｒ）の米国特許第２，２７２，６２３号は糊によって取り外し可能に固着された包装袋を有した展示用カードを開示している。ファーレイ（Ｆａｒｒｅｌｌｙ）の米国特許第４，００３，７８２号によれば、製造された各袋が２本の感圧接着剤の線に貼付され、紙箱のようなものに貯蔵される。また、空の包装袋を展示または設置用支持基盤に貼付してからその包装袋に詰め、密封することが知られている。ハノン（Ｈａｎｎｏｎ）の米国特許第３，３３１，１８２号を参照されたい。包装袋を展示用帯に取着する上記の方法に於いていくつかの問題が発生する。包装袋を糊で展示用帯に貼付する時によく起こる問題は、包装袋が、密封した状態を傷つけないで帯から取り外すことが出来ないことである。別の問題が、従来の袋製造装置の密封あごの下の利用可能な空間が限られているために、柔軟な包装袋に担持帯を固着させる行為を自動化する試みをする場合に発生する。換言すれば、自動貼付装置を受け入れるための空間が、密封あごの下にほとんど無いか、全く無い。
【０００５】
従来技術の装置に存在するこれらの問題から解放された、取り外し可能に柔軟な包装袋を展示用帯に取着するための方法と装置に対する要求が存在する。
【０００６】
本発明は、柔軟な包装袋を取り外し可能に展示用帯に取着し、同時にそれぞれの包装袋の端部を密封するための方法と装置を提供する。この発明の好適な形態において、本発明は、展示用担持帯を新規な密封あご装置の中を通過させ、包装袋の前形成体の直近まで送達されることを可能とする新規な密封あご装置を有している。この密封あごは、包装袋の前形成体に横方向の封止部を形成するが、この封止部はあごの下方に延在する充填された包装袋の上端部と、あごの上方に延在する空の包装袋の下端部を成す。充填された包装袋の上端部の封止部は、横方向の封止部が形成されると同時に、取り外し可能に担持展示用帯に取着される。次に、連続した展示用帯と取着された包装袋が、適当なコンベヤ装置によって、箱詰め領域に搬送され、出荷準備される。
【０００７】
【好適な実施態様の詳細な説明】
図１を参照すると、柔軟な包装袋を展示用帯に取り外し可能に取着するための自動化装置が参照番号１０により一般的に示されている。袋製造装置、例えば、縦型形成・充填・密封装置（ＶＦＦＳ）が、１２で概略的に示されている。ＶＦＦＳ機械のような袋製造装置は従来技術で知られており、本出願では詳細に記述しない。
【０００８】
袋製造装置１２は包装材料を装置１２を通過して連続的に前進させられる包装袋前形成体に成形する。特に、前形成体は袋製造装置の充填チューブの下に配置された密封機構で、密封あごによって横方向に密封される。この封止部は、密封機構の下方向に延びる充填された包装袋の上端部と、密封機構の上方向に延びるまだ充填されていない包装袋の下端部を形成している。刃物機構が横方向の密封位置で前形成体を切断して、同一物を２つの別々の包装袋に分離する。下部の包装袋は、充填され両端部で密封され、上部の包装袋は空で、その下端が密封される。前形成体上の横方向の封止部を切断することにより、包装袋を分離した後、空の包装袋は前進させられ、充填され、その上端部が密封機構に運搬され、その包装袋は密封され、次に来る包装袋、つまり、現在、密封機構の上方に延在している包装袋から分離される。
【０００９】
密封機構は、図１において、一般的に５０で示されており、上記の横方向の封止部を形成するために密封あご５２，５３を具備している。包装袋を展示用帯に取り外し可能に固着するための下部取着要素は、図１において一般的に６０で示されていて、下部密封台またはバー６２を具備している。図２Ａ−２Ｃにおいて最もよく分かるように、下部密封台またはバー６２は、好ましくは、それぞれ密封あご５２，５３に取着されている。密封あご５２は、以下で述べる理由によってあごを通過して延在するスロットを形成する切り欠き部分６６を有している。
【００１０】
図１に注意を向けると、展示用担持帯材料の繰り出しリール１４は、そこから袋製造装置１２に向かって延在する帯織１８を有している。リール摩擦制動機１６は回転する繰り出しリール１４の速度を制御している。展示用担持帯は好ましくは、柔軟であるが、最終製品を示す図４Ａに示すように複数の包装袋を支持するために十分堅牢な材料から作られる。展示用帯材料は、包装袋が帯に固着される前に、つまり、稼働中には典型的には１９０．５℃（３７５°Ｆ）まで昇温する密封あごを帯が通過する時に、溶解し、およびまたは変形することがないように選択される。例えば、展示用担持帯は、共有押出し形成した金属被覆ポリエチレンから４０ミクロンのポリプロピレンなどに紙を積層したものなどの適当なプラスチック材料から製造することが出来る。
【００１１】
担持帯織１８は繰り出しリール１４から、一般的に参照番号３０で示されており、図１において円Ｉで囲まれた帯駆動機構に渡される。帯駆動機構３０は担持織１８を、包装袋前形成体の前進と同期するように制御して前進させる。この帯駆動機構３０は、担持帯織１８を適当な方法で密封機構５０，６０を通過して前進させるものならどんな装置でもよい。
【００１２】
図１で円で囲った部分Ｉを図３Ａ，３Ｂに拡大して示すが、ステッパーホイール３６を駆動する軸３４を有したステッパー電動機３２を具備している。ステッパーホイール３６は回転して、以下で詳細に記述するように密封あご５２に形成された細長いスロットの中に帯織１８を前進させる。バックアップローラ３８はステッパーホイール３６の隣に配置され、帯織１８は、バックアップローラ３８とステッパーホイール３６の間を通過する。バックアップローラ３８は図３Ｂに示すように回転可能にブラケット４０に設置され得る。ステッパー電動機３２は、担持帯織が袋製造装置によって前進させられた包装袋前形成体に対して正確に位置決めされるように精密に制御され得る。加えて、帯駆動機構３０は、ステッパー電動機３２が、例えばマイクロプロセッサによって自動的に制御されるようにプログラムされ得る。ステッパーホイールは、好ましくは、例えば、直径５．１ｃｍ（２インチ）で幅が７．６ｃｍ（３インチ）のゴムホイールを具備する。このゴムホイールは、摩擦によって帯材料織１８にかみ合い、バックアップローラ３８と協慟して織を前進させる。
【００１３】
当業者なら、当然、上記のステッパー電動機以外の、担持帯織を前進させるための手段が使用できることを認識できる。例えば、ステッパー電動機機構の代わりに、帯織を空気圧機械動力で前進させる空気シリンダ装置を使用することが出来る。
【００１４】
図２Ａ−２Ｃを参照すると、密封機構５０の密封あご５２と下部取着要素６０の密封台６２が詳細に示されている。密封あご５２は、溝５８によって分離されており、上部密封部分５４と下部密封部分５６を具備している。溝５８は密封部分５４，５６の外部表面の近傍から密封あご５２の内部に向かって限定された距離だけ延在している。図２Ｃを参照されたい。溝５８は、好ましくは上記のように、包装袋の前形成体を下部の充填された包装袋と上部の空の包装袋とに切断するための刃物機構（図示せず）を具備している。特に、上部密封部分５４は、上部の包装袋の下部横方向封止部を形成し、下部の密封部分５６は充填された下部包装袋の上部横方向封止部を形成する。刃物機構が包装袋を切断した後、現在下端部が密封されている上部包装袋は充填されることが可能になり、下方に前進させられ、ここで密封あご５２，５３が更に稼働して同じ包装袋の上部を密封する。
【００１５】
本発明によれば、上記のように横方向の封止部を形成すると同時に、充填され密封された包装袋が展示用帯１８に固着される。適当な手段によって、密封あご５２，５３にそれぞれ、下部取着要素６０の密封台６２が固着されている。
【００１６】
図１，２Ｃに示すように、展示用担持織１８は、巻き取りスプール２０から帯駆動機構３０を過ぎ、密封あご５２を通過して、包装袋と係合する。この目的のために、密封あご５２は、それを通過して延在する細長いスロットを有している。密封あご５２の切り欠き部分６６は、密封台６２と協慟してスロットを形成している。特に、密封台６２は、好ましくは、切り欠き部分６６を覆うように密封あご５２に取着している。図２Ｂを参照されたい。密封台６２も好ましくは、切り欠き部分６６の幅よりも幾分大きいが、密封あご５２の全体の幅よりも小さい幅を有している。
【００１７】
下部密封台６２は、図２Ａ，２Ｂに最もよく示されるように、その上に配置されているかみ合い密封要素６４を有している。各々の台６２の密封要素６４は、密封あご５２，５３が接合した時に、お互いに係合するように調整されている。展示用担持帯１８は、密封あご５２のスロットを通過して、スロットから密封台６２の密封要素６４上に下る。図１，２Ａ，２Ｃを参照されたい。
【００１８】
この結果、展示用担持帯１８は、図１に仮想線で示すように、充填された包装袋７２のまだ密封されていない上端部の直近に位置する。充填された包装袋７２の上端（同時に重なっている空の包装袋の下端部）を密封することに加えて、密封あご５２，５３の稼働によって、充填された包装袋７２の上端部を展示用担持帯１８に取着する。
【００１９】
下部密封台６２は、好ましくは、その上に配置された複数の密封要素６４を有しており、この密封要素６４は、充填された包装袋を、密封要素６４の位置と数に応じた位置で展示用担持帯１８に取着する。好ましい実施態様においては、３つの密封要素６４が各々の密封台６２の上に具備されている。しかし、当業者なら異なる数と形態の密封要素も本発明から逸脱することなく使用可能であることを認識するであろう。密封台６２は、密封あご５２，５３が稼働する時に、充填された包装袋の上端部を展示用担持帯１８に熱密封する。密封要素６４は、包装袋が、充填され密封された包装袋の密封状態を傷つけることなく、簡単に展示用担持帯から取り外し出来るように、包装袋を帯１８に確実に貼着する。展示用担持帯１８が形成されている材料は、密封台６２によって加えられた点状の熱と圧力によって包装袋材料に取着される。したがって、密封あご６２が作動すると、充填された包装袋の上端部が密封され、その包装袋が展示用担持帯に密着される。この仕組みは全体の手続きを大幅に簡略化して、先行技術装置よりもはるかに改良されている。
【００２０】
充填され、密封された包装袋７０が取着された担持帯１８は、コンベヤ機構８０によって、帯と包装袋が配送準備される位置に搬送される。展示用担持帯の柔軟性によって、簡単に貯蔵し、およびまたは輸送するために、包装袋を担持帯に固着させた状態で、同上を箱詰めすることが可能となる。
【００２１】
図４Ａ−４Ｃは、本発明によって製造され、取り外し可能の状態に展示用帯に取着された複数の包装袋を有した展示用帯を示している。展示用担持帯１００は、全体の仕組みを適当な支持壁に取着するために役立つ粘着ハンガ部材１１０を具備している。勿論、その他のどのような支持またはハンガ手段でも使用可能である。帯１００は、上記のように帯密着バーまたは台６２によって形成した熱密着結合１３０によって取り外し可能に固着された複数の包装袋１２０を有している。
【００２２】
図４Ａ，４Ｂは、複数の包装袋１２０によって完全に覆われた展示用担持帯１００を示している。図４Ｃは、いくつかの包装袋を取り外した状態の図４Ａ，４Ｂに示す製品展示用帯を示す。密着結合を傷つけることなく複数の包装袋の取り外しを可能にする取り外し可能な熱密着結合１３０が、いくつかの包装袋を取り外した、展示用担持帯１００の部分に視認できる。
【００２３】
本発明の方法と装置によって、従来技術装置に存在する問題無しに、充填され、密封された柔軟な包装袋を取り外し可能に展示用担持帯に固着させることが可能になることは明らかである。包装袋を展示用担持帯に固着することが、各々の包装袋の上端部と下端部の封止部を形成する密封あごの従来の運動を使用して達成される。精密に制御された帯駆動機構は密封あごと協慟して、包装袋の制御と位置決めにおける従来技術の問題を解消する。更に、包装袋を担持帯に取着するための固着機構は、従来技術の装置よりもはるかに単純化されている。その結果、本発明によれば、従来技術の包装袋固着装置に比較して、製造費用を大幅に低減することが出来る。
【００２４】
本発明のその他の特徴や利点は、この明細書に記述した本発明の好適な実施例の多くの改良、変更といった形で、かつこれらの改良、変更はすべては添付した請求の範囲に定義した本発明の精神と範囲から逸脱することなく達成可能であることが、当業者には簡単に分かることであろう。
【００２５】
本発明の具体的な実施態様は次のとおりである。
（１） 製品を受け入れる構造をした包装袋の前形成体を成形する袋製造装置と、
前記袋製造装置に近接して配置された密封機構であって、密封機構の下方に延在する充填された包装袋の上端封止部と、密封機構の上方に延在するこれから充填される包装袋の下端封止部を形成するために、前形成体を横切る横方向の封止部を形成する密封あごを具備する密封機構と、
連続した展示用担持帯を前記密封機構に近接する位置に送達する帯駆動装置と、
密封あごによる包装袋の１端部の密封と同時に、各々の包装袋の１端部を、取り外し可能に展示用担持帯に取着する少なくとも１つの帯密封バーとを備え、
それにより、充填された包装袋が展示用担持帯に取着され、包装袋の密封状態を傷つけることなく展示用担持帯から取り外すことが可能となることを特徴とする、展示用担持帯に取り外し可能に取着された複数の密封された包装袋を製造する装置。
【００２６】
（２） 前記密封機構は、隣接する包装袋の上端部と下端部の封止部を形成する１対の密封あごと、包装袋を担持帯に取り外し可能に取着する１対の帯密封バーとから成ることを特徴とする実施態様（１）記載の装置。
【００２７】
（３） ２つの密封あごの１つは、その密封あごを通過して延在する１つのスロットを具備し、担持帯が、前記１つの密封あごの中のスロットを通過して、包装袋の１端部に近接した位置に到達することを特徴とする実施態様（２）記載の装置。
【００２８】
（４） １つの密封あごを通過して延在するスロットが、帯密封バーのうちの１つと、前記１つの密封あごの１つの切欠き部分の間に画定されることを特徴とする実施態様（３）記載の装置。
【００２９】
（５） 第一の帯密封バーが第一の密封あごに取着されており、第二の帯密封バーが第二の密封あごに取着されていて、横方向の包装袋の封止部を形成するための密封あごの作動が、密封バーをして包装袋を展示用担持帯に取り外し可能に取着させることを特徴とする実施態様（３）記載の装置。
【００３０】
（６） 帯密封バーは複数のかみ合い密封要素を具備することを特徴とする実施態様（１）記載の装置。
【００３１】
（７） 帯駆動装置は１つのステッパー電動機と１つのステッパーホイールを有し、前記ステッパー電動機は、密封機構方向に展示用担持帯を制御可能に前進させるためにステッパーホイールを回転させることを特徴とする実施態様（１）記載の装置。
【００３２】
（８） 製品を受け入れる構造をした包装袋の前形成体を形成する手段と、
包装袋の前形成体を形成する前記手段の下方に配置され、密封機構の下方に延在する充填された包装袋の上端封止部と密封機構の上方に延在するこれから充填される包装袋の下端封止部とを形成するために、前形成体を横断する横方向の封止部を形成する封止部形成手段を具備する密封機構と、
連続した展示用担持帯を前記封止部形成手段に近接する位置に送達する帯駆動装置と、
包装袋の端部の密封と同時に、各包装袋の端部を展示用担持帯に取り外し可能に取着する手段と、
密封機構の上方と下方の各々に延在する包装袋の下端部と上端部の封止部を形成するために、横方向の封止部に沿った隣接する前形成体を分離する手段とを備え、
包装袋の密封状態を傷つけることなく担持帯から選択的に取り外し可能に、包装袋が担持帯に取着されることを特徴とする、展示用担持帯に取り外し可能に取着された複数の密封された包装袋を製造する装置。
【００３３】
（９） 前記封止部形成手段は、隣接する包装袋の上端部と下端部の封止部を形成する１対の密封あごを具備することを特徴とする実施態様（８）記載の装置。
【００３４】
（１０） 前記封止部形成手段の密封あごの１つは、密封あごを通過して包装袋方向に担持帯を送達するための、密封あごを通過して延在するスロットを具備することを特徴とする実施態様（９）記載の装置。
【００３５】
（１１） 前記封止部形成手段の密封あごは各々担持帯を包装袋の前形成体に取り外し可能に取着する帯密封バーを具備し、横方向の包装袋封止部を形成するための密封あごの作動が、密封バーをして包装袋を展示用担持帯に取り外し可能に取着させることを特徴とする実施態様（１０）記載の装置。
【００３６】
（１２） １つの密封あごを通過して延在するスロットが、帯密封バーと前記１つの密封あごの下部部分の間に配置されたことを特徴とする実施態様（１１）記載の装置。
【００３７】
（１３） 帯駆動装置が、展示用担持帯織と摩擦力でかみ合い展示用担持帯を密封機構方向に前進させるためにステッパーホイールを回転させるステッパー電動機を具備することを特徴とする実施態様（８）記載の装置。
【００３８】
（１４） 製品供給源から製品を受容するように構成された包装袋の前形成体を形成する工程と、
密封機構の下方に延在する充填された包装袋の上端封止部と密封機構の上方に延在するこれから充填される包装袋の下端封止部を形成するために、前形成体を横断する横方向の封止部を形成する工程と、
充填された包装袋の前記上端封止部の形成と同時に、充填された包装袋の上端封止部を担持帯に貼着することによって、充填された包装袋を展示用担持帯に取り外し可能に取着する工程とを備えたことを特徴とする、連続した展示用帯に取り外し可能に取着されている充填され密封された包装袋を製造する方法。
【００３９】
（１５） 密封機構における前形成体の密封が、これと同時に、充填された包装袋の１端部を担持帯に取り外し可能に取着する密封あごによって成されることを特徴とする実施態様（１４）記載の方法。
【００４０】
（１６） １つの密封あごは、担持帯が内部を通過して包装袋の前形成体の直近に送達され密封あごにより前記形成体に取り外し可能に取着されるように形成した１つの開口部を具備することを特徴とする実施態様（１５）記載の方法。
【００４１】
（１７） 前記封止部形成手段の密封あごは各々、担持帯を包装袋前形成体に取り外し可能に取着する帯密封台を具備し、横方向の包装袋封止部を形成するための密封あごの作動が、帯密封台をして包装袋を展示用担持帯に取り外し可能に取着させることを特徴とする実施態様（１６）記載の方法。
【００４２】
（１８） 帯駆動装置は、ステッパー電動機とステッパーホイールを具備し、前記ステッパー電動機は、展示用担持帯織を１つの密封あごの中の開口部を通過させ密封機構方向に前進させるために、前記ステッパーホイールを回転させることを特徴とする実施態様（１６）記載の方法。
【００４３】
（１９） １対の密封あごに近接する少なくとも１つの端部を有する包装袋を、包装袋の前記１つの端部が前記あごの間に配置されているように位置決めする工程と、
展示用帯を、密封あごの１つに形成されたスロットを通過させ包装袋の端部に近接する位置に送達する工程と、
包装袋の前記端部を密封すると同時に、展示用帯を取り外し可能に包装袋の前記端部に固着する工程とを備えたことを特徴とする、包装袋の１端部の密封とその包装袋の展示用帯への固着を同時に行う方法。
【００４４】
（２０） 密封あごの間に配置された包装袋の前形成体の１端部を密封するための１対の密封あごを具備し、密封あごのうちの１つは、担持帯が通過し包装袋の前形成体の直近まで送達されるための１つの開口部を有している密封機構と、
包装袋の前形成体の端部の密封と同時に、包装袋の前形成体を担持帯に取り外し可能に取着させる少なくとも１つの担持帯密封要素とを備え、
前形成体から形成された充填された包装袋は、包装袋の密封状態を傷つけることなく担持帯から取り外し可能であることを特徴とする、包装袋の前形成体の１端部の密封と同時にその包装袋の前形成体を担持帯に取着するための密封装置。
【図面の簡単な説明】
【図１】柔軟な包装袋を、取り外し可能に取着するための自動化組立装置の略図である。
【図２Ａ】本発明による密封あごの斜視図である。
【図２Ｂ】図２Ａにおける矢印２Ｂ−２Ｂの方向から眺めた図２Ａに示す密封あごの端部立面図である。
【図２Ｃ】図２Ａにおける矢印２Ｃ−２Ｃの方向に眺めた図２Ａに示す密封あごの断面図である。
【図３Ａ】図１の円形部分の拡大図である。
【図３Ｂ】図３における矢印３Ｂ−３Ｂの方向から眺めた図３Ａに示す部分の前面立面図。
【図４Ａ】完成した展示用帯と固着した包装袋の前面立面図である。
【図４Ｂ】図４Ａに示した展示用帯と固着した包装袋の側面立面図である。
【図４Ｃ】いくつかの包装袋を取り外した状態の図４Ａに示した展示用帯と固着した包装袋の前面立面図である。
【符号の説明】
１０  自動化装置
１２  袋製造装置
１４  （繰り出し）リール
１６  リール摩擦制動機
１８  （展示用）担持帯
３０  帯駆動機構
３２  ステッパー電動機
３６  ステッパーホイール
３８  バックアップローラ
４０  ブラケット
５０，６０  密封機構
５２，５３  密封あご
５４，５６  密封部分
５８  溝
６０  下部取着要素
６２  （下部）密封台（バー）
６４  密封要素
６６  切り欠き部分
７０  包装袋
７２  （充填された）包装袋
８０  コンベヤ機構
１００  展示用担持帯
１１０  取着ハンガ部材
１２０  包装袋
１３０  熱密着結合
【図１】
0003957743.tif 000002
【図２Ａ】
0003957743.tif 000003
【図２Ｂ】
0003957743.tif 000004
【図２Ｃ】
0003957743.tif 000005
【図３Ａ】
0003957743.tif 000006
【図３Ｂ】
0003957743.tif 000007
【図４Ａ】
0003957743.tif 000008
【図４Ｂ】
0003957743.tif 000009
【図４Ｃ】
0003957743.tif 000010